(57)【要約】      （修正有）【課題】携帯することができ、多種類の電源を供給する電源供給ベースを提供する。【解決手段】多種類の電源を供給する電源供給ベース１００は、本体１０と、少なくとも１つのＵＳＢ電源ポート２０と、杆体３０と、複数の交流電源プラグ受け４０と、電源ケーブル５０とを備える。本体１０は薄型板体であり、内部に、無線充電の電源として用いる無線充電モジュール１１が配設される。ＵＳＢ電源ポート２０は、本体の一側に設けられて直流電源を供給する。杆体３０は円形中空状であり、電線３１が挿通され、本体の一側に水平に設けられる。交流電源プラグ受け４０には、杆体に対応した貫通孔４１が水平に形成され、交流電源プラグ受けが杆体上に枢着され、回転されても交流電源が供給可能である。電源ケーブル５０は、本体の一側に接続される。【選択図】図２
0003200326.tif 000002
【実用新案登録請求の範囲】
【請求項１】
本体と、少なくとも１つのＵＳＢ電源ポートと、杆体と、複数の交流電源プラグ受けと、電源ケーブルとを備えた多種類の電源を供給する電源供給ベースであって、
前記本体は、薄型板体であり、前記薄型板体の内部には、無線充電の電源として用いる無線充電モジュールが配設され、
前記ＵＳＢ電源ポートは、前記本体の一側に設けられて直流電源を供給し、
前記杆体は、前記本体の一側に水平に設けられ、
前記交流電源プラグ受けには、前記杆体に対応した貫通孔が水平に形成され、前記交流電源プラグ受けが前記杆体上に枢着され、回転されても交流電源が供給可能であり、
前記電源ケーブルは、前記本体の一側に接続されることを特徴とする、多種類の電源を供給する電源供給ベース。
【請求項２】
前記本体は、矩形状であり、
前記本体の一側辺の両端には、外方へ向かうアーム部がそれぞれ延設され、前記本体の前記アーム部の間には凹槽が形成され、前記アーム部には、挿入孔が形成され、
前記杆体は、両端が前記挿入孔にそれぞれ挿入されて固定され、前記杆体が前記板体の前記凹槽内に位置することを特徴とする、請求項１に記載の多種類の電源を供給する電源供給ベース。
【請求項３】
前記杆体は、円形で中空状であり、複数の電線がその中に挿通され、前記杆体は、前記交流電源プラグ受けに対応して外方及び上方へ向かうように斜めに形成された複数の穿孔を有し、前記穿孔の幅は、前記杆体断面の略４分の１円周長であり、前記杆体の中空部に挿通される前記電線が引き出され、前記電線は、前記交流電源プラグ受けにそれぞれ接続されるとともに、前記穿孔の幅により、前記交流電源プラグ受けの回転とともに前記電線が移動されるため、移動可能な空間が足りずに前記電線が折れて損傷したり断裂したりすることを防ぐことを特徴とする、請求項１に記載の多種類の電源を供給する電源供給ベース。
【請求項４】
前記本体は柔軟性材料からなることを特徴とする、請求項１に記載の多種類の電源を供給する電源供給ベース。
【考案の詳細な説明】
【技術分野】
【０００１】
本考案は、電源供給ベースに関し、特に、多種類の電源を供給する電源供給ベースに関する。
【背景技術】
【０００２】
従来、電子機器及び電気製品に電力を供給する方式は、交流電源プラグ受け又はＵＳＢポートを介して行うが、これ以外にスマートフォン、スマート腕時計、スマート腕輪、タブレットＰＣなど、市販されているモバイル電子機器には無線充電板を介して充電し、電力供給を行っていた。
【０００３】
上述の交流電源プラグ受け、ＵＳＢポート及び無線充電板を使用すると、電子機器及び電気製品に必要な電力を供給することができるが、交流電源プラグ受け、ＵＳＢポート、無線充電板などの装置が独立しており、それぞれを取り出して使用する必要があるため、使用する空間が大きくなる上、携帯するのに不便であるという問題があった。
【考案の概要】
【考案が解決しようとする課題】
【０００４】
そこで、本考案の主な課題は、使用空間を減らして容易に使用し、または携帯することができるようにし、電源供給ベースの実用性及び利便性が高く、多種類の電源を供給する電源供給ベースを提供することにある。
【課題を解決するための手段】
【０００５】
そこで、上記課題を解決するために、鋭意検討を重ねた結果、ＵＳＢ電源ポートと交流電源プラグを介して本体と結合され、本体の材料と回転可能な交流電源プラグ受けとの組み合わせを用いることにより、前記課題を解決できることに着目し、かかる知見に基いて本考案に想到するに至った。すなわち、本考案の第１の形態によれば、本体と、少なくとも１つのＵＳＢ電源ポートと、杆体と、複数の交流電源プラグ受けと、電源ケーブルとを備えた多種類の電源を供給する電源供給ベースであって、前記本体は、薄型板体であり、前記薄型板体の内部には、無線充電の電源として用いる無線充電モジュールが配設され、前記ＵＳＢ電源ポートは、前記本体の一側に設けられて直流電源を供給し、前記杆体は、前記本体の一側に水平に設けられ、前記交流電源プラグ受けには、前記杆体に対応した貫通孔が水平に形成され、前記交流電源プラグ受けが前記杆体上に枢着され、回転されても交流電源が供給可能であり、前記電源ケーブルは、前記本体の一側に接続されることを特徴とする、多種類の電源を供給する電源供給ベースが提供される。
かくして、請求項１に係る考案によれば、
本体と、少なくとも１つのＵＳＢ電源ポートと、杆体と、複数の交流電源プラグ受けと、電源ケーブルとを備えた多種類の電源を供給する電源供給ベースであって、
前記本体は、薄型板体であり、前記薄型板体の内部には、無線充電の電源として用いる無線充電モジュールが配設され、
前記ＵＳＢ電源ポートは、前記本体の一側に設けられて直流電源を供給し、
前記杆体は、前記本体の一側に水平に設けられ、
前記交流電源プラグ受けには、前記杆体に対応した貫通孔が水平に形成され、前記交流電源プラグ受けが前記杆体上に枢着され、回転されても交流電源が供給可能であり、
前記電源ケーブルは、前記本体の一側に接続されることを特徴とする、多種類の電源を供給する電源供給ベースが提供される。
また、請求項２に係る考案によれば、
前記本体は、矩形状であり、
前記本体の一側辺の両端には、外方へ向かうアーム部がそれぞれ延設され、前記本体の前記アーム部の間には凹槽が形成され、前記アーム部には、挿入孔が形成され、
前記杆体は、両端が前記挿入孔にそれぞれ挿入されて固定され、前記杆体が前記板体の前記凹槽内に位置することを特徴とする、請求項１に記載の多種類の電源を供給する電源供給ベースが提供される。
請求項３に係る考案によれば、
前記杆体は、円形で中空状であり、複数の電線がその中に挿通され、前記杆体は、前記交流電源プラグ受けに対応して外方及び上方へ向かうように斜めに形成された複数の穿孔を有し、前記穿孔の幅は、前記杆体断面の略４分の１円周長であり、前記杆体の中空部に挿通される前記電線が引き出され、前記電線は、前記交流電源プラグ受けにそれぞれ接続されるとともに、前記穿孔の幅により、前記交流電源プラグ受けの回転とともに前記電線が移動されるため、移動可能な空間が足りずに前記電線が折れて損傷したり断裂したりすることを防ぐことを特徴とする、請求項１に記載の多種類の電源を供給する電源供給ベースが提供される。
請求項４に係る考案によれば、
前記本体は柔軟性材料からなることを特徴とする、請求項１に記載の多種類の電源を供給する電源供給ベースが提供される。
【考案の効果】
【０００６】
本考案は、前記の通りの構成からなるものであり、移動可能な空間が足りず、電線が折れて損傷し、又は断裂することを効果的に防止することができる。
【図面の簡単な説明】
【０００７】
【図１】図１は、本考案の一実施形態に係る多種類の電源を供給する電源供給ベースを示す斜視図である。
【図２】図２は、本考案の一実施形態に係る多種類の電源を供給する電源供給ベースを示す分解斜視図である。
【図３】図３は、本考案の一実施形態に係る多種類の電源を供給する電源供給ベースが回転されて使用可能な状態を示す使用状態図である。
【図４】図４は、本考案の一実施形態に係る多種類の電源を供給する電源供給ベースにより充電を行うときの状態を示す使用状態図である。
【図５】図５は、本考案の一実施形態に係る多種類の電源を供給する電源供給ベースにデスクライトが接続された状態を示す使用状態図である。
【図６】図６は、本考案の一実施形態に係る多種類の電源を供給する電源供給ベースの交流電源プラグ受けが回転されて使用されていない状態を示す断面図である。
【図７】図７は、本考案の一実施形態に係る多種類の電源を供給する電源供給ベースの交流電源プラグ受けが回転されて使用可能な状態を示す断面図である。
【考案を実施するための形態】
【０００８】
図１及び図２を参照する。図１は、本考案の一実施形態に係る多種類の電源を供給する電源供給ベースを示す斜視図である。図２は、本考案の一実施形態に係る多種類の電源を供給する電源供給ベースを示す分解斜視図である。図１及び図２に示すように、本考案の一実施形態に係る多種類の電源を供給する電源供給ベースは、少なくとも本体１０と、少なくとも１つのＵＳＢ電源ポート２０と、杆体３０と、複数の交流電源プラグ受け４０と、電源ケーブル５０と、から構成されてなる。
【０００９】
本体１０は、柔軟性材料からなる薄型板体である。この薄型板体の内部には、無線充電の電源として用いる無線充電モジュール１１が配設される。本実施形態の本体１０は、矩形状であり、本体１０の一側辺の両端には、外方へ向かうアーム部１２がそれぞれ延設され、本体１０の複数のアーム部１２の間には凹槽１３が形成され、複数のアーム部１２の内側には、挿入孔１４が形成される。
【００１０】
ＵＳＢ電源ポート２０は、本体１０の一側に設けられ、直流電源を供給する。
【００１１】
杆体３０は、本体１０の一側に水平に設けられる。本考案の一実施形態において、杆体３０の両端は、アーム部１２の挿入孔１４にそれぞれ挿入されて固定され、杆体３０が本体１０の凹槽１３内に位置する。杆体３０は、円形で中空状の杆体であり、複数の電線３１がその中に挿通される。杆体３０は、外方及び上方へ向かうように斜めに形成された複数の穿孔３２を有し、穿孔３２の幅は、杆体３０の断面の略４分の１円周長であり、杆体３０の中空部に挿通される電線３１が引き出される。
【００１２】
交流電源プラグ受け４０は、杆体３０に対応した貫通孔４１が水平に形成され、交流電源プラグ受け４０が杆体３０上に枢着され、回転されても交流電源を供給することができる。
【００１３】
電源ケーブル５０は、本体１０の一側に接続される。
【００１４】
続いて図３及び図４を参照する。図３は、本考案の一実施形態に係る多種類の電源を供給する電源供給ベースが回転されて使用可能な状態を示す使用状態図である。図４は、本考案の一実施形態に係る多種類の電源を供給する電源供給ベースにより充電を行うときの状態を示す使用状態図である。図１〜図４に示すように、まず、使用者は、電源ケーブル５０を商用電源に接続し、多種類の電源を供給する電源供給ベース１００が様々な電子機器又は電気製品へ十分な電力を供給した後、使用者が様々な充電方式の電子機器又は電気製品を充電する際、充電する設備及び製品をＵＳＢ電源ポート２０及び交流電源プラグ受け４０へそれぞれ接続して電力を供給するか、本体１０へ設置し、無線充電モジュール１１により充電する。使用者が交流電源プラグ受け４０を実際に使用する際、交流電源プラグ受け４０を適宜な位置まで回転させると、交流電源プラグ受け４０を大きめの空間により容易に接続することができ、使用し終わった後、交流電源プラグ受け４０を初期位置まで回転させて、容易に携帯することができ、これにより本考案は、ＵＳＢ電源ポート２０、交流電源プラグ受け４０を介して本体１０と結合され、本体１０の材料と回転可能な交流電源プラグ受け４０との組合せにより使用空間を減らし、容易に使用したり携帯したりできるようにし、電源供給ベースの実用性及び利便性を高める。
【００１５】
図５を参照する。図５は、本考案の一実施形態に係る多種類の電源を供給する電源供給ベースにデスクライトが接続された状態を示す使用状態図である。図５に示すように、ＵＳＢ電源ポート２０及び交流電源プラグ受け４０は、例えば１つを電源接続に用い、１つをデスクライト２００の接続に用いてもよく、本考案の用途は広い。
【００１６】
図６及び図７を参照する。図６は、本考案の一実施形態に係る多種類の電源を供給する電源供給ベースの交流電源プラグ受けが回転されて使用されていない状態を示す断面図である。図７は、本考案の一実施形態に係る多種類の電源を供給する電源供給ベースの交流電源プラグ受けが回転されて使用可能な状態を示す断面図である。図６及び図７に示すように、杆体３０は、交流電源プラグ受け４０に対応して外方及び上方へ向かうように斜めに形成された複数の穿孔３２を有する。穿孔３２の幅は、杆体３０の断面の略４分の１円周長であり、杆体３０の中空部に挿通される電線３１が引き出される。複数の電線３１は、それぞれ交流電源プラグ受け４０に接続されるとともに、穿孔３２の幅により複数の交流電源プラグ受け４０が回転されるとともに電線３１が移動されるため、移動可能な空間が足りずに電線３１が折れて損傷し又は断裂することを防ぐことができる。
【００１７】
本実施形態の本体１０には、照明により位置を指示して方向を認識するために用いる複数の帯状ＬＥＤランプ６０が縁部に沿って設けられてもよい。
【００１８】
多種類の電源を供給する電源供給ベース１００は、雷サージを防ぐ雷サージ防止部材を有してもよい。
【符号の説明】
【００１９】
１０  本体
１１  無線充電モジュール
１２  アーム部
１３  凹槽
１４  挿入孔
２０  ＵＳＢ電源ポート
３０  杆体
３１  電線
３２  穿孔
４０  交流電源プラグ受け
４１  貫通孔
５０  電源ケーブル
６０  帯状ＬＥＤランプ
１００  多種類の電源を供給する電源供給ベース
２００  デスクライト
【図１】
0003200326.tif 000003
【図２】
0003200326.tif 000004
【図３】
0003200326.tif 000005
【図４】
0003200326.tif 000006
【図５】
0003200326.tif 000007
【図６】
0003200326.tif 000008
【図７】
0003200326.tif 000009